(57)【要約】【課題】バイオガス精製効率を上昇させることができる生物脱硫システムを提供すること。【解決手段】メタン発酵槽１で発生したメタンガスと、硫黄化合物とを含むバイオガスを導入して充填材に担持された硫黄酸化細菌により生物脱硫してバイオガスの精製を行う生物脱硫槽２と、前記生物脱硫槽内で生成する生物脱硫生成物を洗浄除去する洗浄液を貯蔵する循環タンク３と、前記循環タンク内の洗浄液を前記生物脱硫槽内の上部に供給する循環ポンプ３００と、該循環ポンプにより送液された洗浄液を充填材の上部から散水する洗浄液散布部に送液する送液管２０２とを有する生物脱硫システムにおいて、前記メタン発酵槽で生成される消化液の少なくとも一部を供給してアンモニアを除去するアンモニア除去手段を有し、前記循環タンクに、前記アンモニア除去手段により生成したアンモニアガスを供給することを特徴とする。【選択図】        図１
2011046802.tif 000002
【特許請求の範囲】
【請求項１】
メタン発酵槽で発生したメタンガスと、硫黄化合物とを含むバイオガスを導入して充填材に担持された硫黄酸化細菌により生物脱硫してバイオガスの精製を行う生物脱硫槽と、
前記生物脱硫槽内で生成する生物脱硫生成物を洗浄除去する洗浄液を貯蔵する循環タンクと、
前記循環タンク内の洗浄液を前記生物脱硫槽内の上部に供給する循環ポンプと、
該循環ポンプにより送液された洗浄液を充填材の上部から散水する洗浄液散布部に送液する送液管と
を有する生物脱硫システムにおいて、
前記メタン発酵槽で生成される消化液の少なくとも一部を供給してアンモニアを除去するアンモニア除去手段を有し、
前記循環タンクに、前記アンモニア除去手段により生成したアンモニアガスを供給することを特徴とする生物脱硫システム。
【請求項２】
前記生物脱硫槽から排出されるバイオガスを冷却して凝縮水を生成する冷却手段を有し、
前記循環タンクに、前記凝縮水を供給することを特徴とする請求項１記載の生物脱硫システム。
【請求項３】
前記メタン発酵槽で生成される消化液の少なくとも一部を、前記循環タンクに供給する消化液供給手段を有することを特徴とする請求項１又は２記載の生物脱硫システム。
【請求項４】
前記循環タンクに、生物処理後の処理水を供給する処理水供給手段を有することを特徴とする請求項１〜３の何れかに記載の生物脱硫システム。
【請求項５】
前記循環タンク内の洗浄液を前記生物脱硫槽に導入する前に、該洗浄液を酸化雰囲気とする気液接触する手段を有することを特徴とする請求項１〜４の何れかに記載の生物脱硫システム。
【発明の詳細な説明】
【技術分野】
【０００１】
本発明は生物脱硫システムに関し、詳しくはバイオガス中のメタンガス濃度を上昇できる生物脱硫システムに関する。
【背景技術】
【０００２】
従来、特許文献１、２、３には、メタン発酵槽から送られるバイオガスを精製するために、生物脱硫槽を設け、その生物脱硫槽内に、硫黄酸化細菌を坦持する充填材を設け、この充填材にバイオガスを通すことにより、硫黄酸化細菌群と接触させ、バイオガス中に含まれる硫黄化合物を酸化して硫酸とすることによりバイオガスを精製する生物脱硫方式が提案されている。この方式では、洗浄液を充填材の上方から散布して硫黄酸化細菌によって生成される硫酸を洗い流して捕捉して除去するようにしている。通常、この洗浄液は、生物脱硫槽の下部から排出され、再度循環使用している。
【０００３】
この生物脱硫方式では、硫黄酸化細菌群が好気性細菌であるため、生物脱硫槽へ流入するバイオガスには予め空気を注入して細菌が必要とする酸素を供給するようにしている。上記特許文献１、２、３の方式では、生物脱硫槽の下方より空気を供給している。
【０００４】
一方、メタン発酵槽から送られるバイオガスをいかに効率よく精製して、メタン濃度を高くすることが、取得エネルギーを高カロリー化する上で求められている。
【先行技術文献】
【特許文献】
【０００５】
【特許文献１】特開２００６−１４３７７９号公報
【特許文献２】特開２００６−１４３７８０号公報
【特許文献３】特開２００６−１４３７８１号公報
【発明の概要】
【発明が解決しようとする課題】
【０００６】
生物脱硫法を用いたバイオガス精製過程をみると、最初に硫化水素（Ｈ２Ｓ）の液側吸収が起こり、次いで硫黄酸化細菌によって酸化されるという段階で進行する。液側吸収はｐＨ７．５程度で硫化水素イオン（ＨＳ−）として吸収されるが、硫化水素の物理吸収とその後の生物酸化という過程の場合は３〜６程度の低ｐＨ領域でも脱硫は進む。
【０００７】
しかしながら、初期の洗浄液のｐＨを７程度にして洗浄を行っても、洗浄液を循環していくと、洗浄液中の硫酸濃度が上昇するので、洗浄液のｐＨが低下する。洗浄液のｐＨが、酸性（ｐＨ４以下）になると、硫酸までの酸化が困難になり、２Ｈ２Ｓ＋Ｏ２→２Ｓ↓＋２Ｈ２Ｏ、あるいは、２Ｈ２Ｓ＋ＳＯ２→２Ｈ２Ｏ＋３Ｓ↓の反応が優先して起こり、硫黄で酸化が停止してしまう。析出した硫黄は充填材に付着したり、充填塔の底部に蓄積し、充填塔を目詰まりさせ、バイオガスの流通や洗浄液の流通を阻害する。
【０００８】
従って、硫化水素脱硫の場合、脱硫槽閉塞等の問題を起こさずに脱硫を行うためには、洗浄液のアルカリ度を十分に確保して、ｐＨを維持することが重要となる。
【０００９】
そこで、本発明者は、洗浄液のアルカリ度を十分に確保するために、メタン発酵槽内の消化液の少なくとも一部を洗浄液として用いることを検討した。
【００１０】
しかし、消化液だけを洗浄液として用いても十分なアルカリ度の確保が困難であった。また、消化液には固形分が多量に含まれるため、脱硫槽内での目詰まりの問題がある。しかし、アルカリ度を維持するために水酸化ナトリウムのようなアルカリ剤を添加するシステムではコスト増となり、実用的なシステムとならない欠点がある。
【００１１】
本発明は、上記課題を解決すべく更に鋭意検討した結果、生物脱硫槽から排出されるバイオガスを冷却して生じる凝縮水と、メタン発酵槽で生成される消化液から分離したアンモニアガスとを、共に洗浄液に供給することで、洗浄液のｐＨの低下を防ぎ、バイオガス精製効率を上昇させることができることを見出し、本発明を完成するに至った。
【００１２】
すなわち、本発明は、バイオガス精製効率を上昇させることができる生物脱硫システムを提供することを課題とする。
【００１３】
また本発明の他の課題は、以下の記載によって明らかとなる。
【課題を解決するための手段】
【００１４】
上記課題は以下の各発明によって解決される。
【００１５】
（請求項１）
メタン発酵槽で発生したメタンガスと、硫黄化合物とを含むバイオガスを導入して充填材に担持された硫黄酸化細菌により生物脱硫してバイオガスの精製を行う生物脱硫槽と、
前記生物脱硫槽内で生成する生物脱硫生成物を洗浄除去する洗浄液を貯蔵する循環タンクと、
前記循環タンク内の洗浄液を前記生物脱硫槽内の上部に供給する循環ポンプと、
該循環ポンプにより送液された洗浄液を充填材の上部から散水する洗浄液散布部に送液する送液管と
を有する生物脱硫システムにおいて、
前記メタン発酵槽で生成される消化液の少なくとも一部を供給してアンモニアを除去するアンモニア除去手段を有し、
前記循環タンクに、前記アンモニア除去手段により生成したアンモニアガスを供給することを特徴とする生物脱硫システム。
【００１６】
（請求項２）
前記生物脱硫槽から排出されるバイオガスを冷却して凝縮水を生成する冷却手段を有し、
前記循環タンクに、前記凝縮水を供給することを特徴とする請求項１記載の生物脱硫システム。
【００１７】
（請求項３）
前記メタン発酵槽で生成される消化液の少なくとも一部を、前記循環タンクに供給する消化液供給手段を有することを特徴とする請求項１又は２記載の生物脱硫システム。
【００１８】
（請求項４）
前記循環タンクに、生物処理後の処理水を供給する処理水供給手段を有することを特徴とする請求項１〜３の何れかに記載の生物脱硫システム。
【００１９】
（請求項５）
前記循環タンク内の洗浄液を前記生物脱硫槽に導入する前に、該洗浄液を酸化雰囲気とする気液接触する手段を有することを特徴とする請求項１〜４の何れかに記載の生物脱硫システム。
【発明の効果】
【００２０】
本発明によれば、メタン発酵槽で生成される消化液から分離したアンモニアガスを洗浄液に供給することで、洗浄液のｐＨの低下を防ぎ、バイオガス精製効率を上昇させることができる効果がある。
【図面の簡単な説明】
【００２１】
【図１】本発明に係る生物脱硫システムの一例を説明する概略図
【図２】本発明に係る生物脱硫システムの他の例を説明する概略図
【図３】本発明の他の態様の一例を説明する概略図
【発明を実施するための形態】
【００２２】
以下、本発明の実施の形態を説明する。
【００２３】
図１は、本発明に係る生物脱硫システムの一例を説明する概略図である。
【００２４】
図１において、１はバイオマス（有機性廃棄物）をメタン発酵するメタン発酵槽であり、バイオマスとしては、例えば畜産廃棄物（例えば家畜の糞尿や、屠体、その加工品など）や緑農廃棄物、廃水処理汚泥などを挙げることができる。
【００２５】
メタン発酵槽１にバイオマスが投入され、嫌気的条件の下でメタン発酵が行われる。メタン発酵により発生したメタン、ＣＯ２（二酸化炭素）、硫化水素などの硫黄含有化合物を含むバイオガスは、バイオガス導入管１０１を通って生物脱硫槽２へ送られ、生物脱硫処理される。
【００２６】
生物脱硫槽２は内部に硫黄酸化細菌を担持した充填材２００を充填している。充填材２００としては、例えば磁製又は樹脂製の通常の気液接触用充填材のほか、多孔質軟質樹脂；活性炭、木炭、ゼオライト、セラミックスなどの多孔体粒子などを用いることができる。硫黄酸化細菌を担持する上では活性炭や木炭などの炭素系の素材も好ましいが、向流で気液接触する場合、通常の気液接触用の樹脂充填材も好ましく使用できる。
【００２７】
生物脱硫槽２の上部には洗浄液散布部２０１（例えばスプレーノズルなど）が設けられ、洗浄液散布部２０１は洗浄液供給配管２０２に接続されている。洗浄液は洗浄液を貯留する循環タンク３から循環ポンプ３００により洗浄液供給管２０２を介して洗浄液散布部２０１から散布される。
【００２８】
生物脱硫槽２内で硫黄酸化細菌の作用によって硫化水素が酸化され、亜硫酸や硫酸あるいはそれらの塩が生成するが、それらの硫酸等は散布された洗浄液によって洗浄される。洗浄液は硫酸等を吸収して、ｐＨが低下した状態で、生物脱硫槽２の下方から返送管２０３を介して排出され、循環タンク３に返送される。
【００２９】
本発明においては、メタン発酵槽１で生成される消化液の少なくとも一部からアンモニアを除去するアンモニア除去手段６を有する。
【００３０】
アンモニア除去手段６において回収されたアンモニアガスは、アンモニアガス導入管６０１、及び散気管３０８を介して循環タンク３に供給され、洗浄液（循環液）中に溶解する。その結果、循環液のアルカリ度を維持できる。
【００３１】
前記アンモニア除去手段６としては、例えばアンモニア放散塔が挙げられる。
【００３２】
本発明において、循環液は、バイオガス冷却後の凝縮水、メタン発酵槽１で生成される消化液の少なくとも一部、活性汚泥処理水、その他の工業用水や水道水などから選ばれる１種または２種以上を組み合わせて使用できる。
【００３３】
循環液として凝縮水を使用する場合について説明する。凝縮水を生成するには、本発明では、生物脱硫槽２において生物脱硫処理されたバイオガスをバイオガス導入管２０４を介して移送される過程で冷却するための冷却手段４を設けることができる。
【００３４】
冷却手段４はバイオガスを冷却して凝縮水を生成する。冷却脱水されたバイオガスは、バイオガス導入管４０１を介してガスホルダに貯蔵してもよいし、また乾燥手段５に導入して更に乾燥してもよい。
【００３５】
凝縮水は、冷却手段４から送液管４０２を経て、循環タンク３に供給され、洗浄液に混合される。凝縮水の組成は、精製されたバイオガス成分のうち、水に溶解する成分が含まれる。
【００３６】
循環タンク３に凝縮水が過剰供給された場合は、オーバーフロー式洗浄液流出管３０７や、ドレン配管３０４により洗浄液を槽外に排出してもよい。
【００３７】
バイオガスの冷却により生じた凝縮水は、アンモニアを含んでいるため、別途添加されるアンモニアの効果に加えて、さらにアルカリ度を上昇させる効果があり、洗浄液として好適である。
【００３８】
バイオガスの冷却により生成した凝縮水及び消化液からの蒸発により生成したアンモニアガスは、それぞれ固形分を全く、あるいはほとんど含んでいない。そのため、これらを洗浄液に供給した場合、固形分による目詰まり等の問題を起こさずに、洗浄液の液量、及びアルカリ度を維持することができる。
【００３９】
次に、本発明では、上記循環液として消化液を用いる場合、メタン発酵で生成する消化液の少なくとも一部は、発酵槽から、送液管１０２を経て、循環タンク３に供給される。消化液供給手段はこの送液管１０２や図示しない送液ポンプなどを含む。送液管１０２の途中に消化液中から固形分を除去する手段を設けることは好ましいことである。
【００４０】
循環タンク３に消化液が過剰供給された場合は、オーバーフロー式洗浄液流出管３０７や、ドレン配管３０４により洗浄液を槽外に排出してもよい。
【００４１】
次に活性汚泥処理水を循環液として用いる場合、図示しない活性汚泥処理設備で生成する処理水を図示しない供給管を介して、循環系の何れかの部位、好ましくは循環タンクに供給される。この態様は、メタン発酵槽と活性汚泥処理設備（下水処理設備など）が近接している場合に好適である。
【００４２】
本発明において、凝縮水、消化液、活性汚泥処理水、アンモニアガス、及びその他の水の循環液への供給位置は、必ずしも循環タンク３において行う必要はなく、例えば、洗浄液供給配管２０２、返送管２０３、または、送液管１０２の途中の何れか１以上の位置において供給してもよい。
【００４３】
３０６は循環タンク３に設けられたｐＨ検出手段である。水素イオン濃度の検出は、ガラス電極式のｐＨメータを用いる方法が好ましく、これは、オンライン計として常時監視する形でも、ある時間毎に携帯式の計器で監視してもよい。
【００４４】
前記循環タンク３内の洗浄液のｐＨは５以上、好ましくは６以上、さらに好ましくは７以上に維持するようにすることが好ましく、アンモニアガスの供給により、また必要により、消化液を消化液供給手段により供給して、循環タンク３内の洗浄液と交換するようにする。
【００４５】
このようなｐＨの洗浄液が生物脱硫槽に供給されると、バイオガスに含まれる二酸化炭素や、生成した硫酸等を効率的に吸収することができる。
【００４６】
本発明では、循環タンク３内の洗浄液を生物脱硫槽２に導入する前に、洗浄液を空気により酸化する手段が設置されてもよい。ここで、空気による酸化は、酸化雰囲気が形成できればよく、酸化雰囲気とは、水素／水に関する酸化還元反応における平衡電位曲線よりも、弱酸性からアルカリ性のｐＨ領域において０．２Ｖ以上１．２Ｖ以下貴である酸化還元領域にあることを指す。以下、空気により酸化する手段を酸化雰囲気形成手段という場合もある。
【００４７】
前記酸化雰囲気形成は、（１）循環タンク内に散気管を設け、該散気管に送風機から空気管を介して空気を供給可能に構成（曝気手段の態様）されてもよいし、（２）液面を撹乱する攪拌手段を設けて循環タンク内の液と空気を気液接触させる構成であってもよいし、（３）送液管の途中に、空気と洗浄液と接触させて該洗浄液に空気を混入させて該洗浄液を酸化雰囲気にする構成であってもよいし、あるいは（４）棚段式の気液接触塔を有し、大気に開放した棚段上段から下段に向けて洗浄液を流下させて気液接触させる構成（気液接触塔を用いる態様）であってもよい。
【００４８】
図示の例は、上記（１）の曝気手段の態様である。即ち、送風機３０１と、該循環タンク３に設けた散気管３０２と、送風機３０１と散気管３０２を連結する空気管３０３からなる態様である。なお送風機は比較的低圧のファンや高圧空気を送れるコンプレッサーなどを含む。
【００４９】
循環タンク３内には空気と洗浄液との接触効率を上げるために樹脂ボールやラシヒリングなどの充填材を充填してもよい。
【００５０】
循環タンク３内で酸化雰囲気になった洗浄液は、循環ポンプ３００により充填材２００の上部に位置する洗浄液散布部２０１から散布され、脱硫生成物の洗浄を行い、生物脱硫槽２の底部から排出管２０３を介して排出され、循環タンク３へ返送される。
【００５１】
本態様のように、循環タンク３内において、曝気手段で洗浄液を曝気すると、洗浄液中の溶存酸素濃度が上昇する。酸素濃度は飽和濃度近くなり、酸素濃度が約８〜１０ｐｐｍ程度になる。従って供給する空気の量は飽和になる程度の量である。この飽和酸素濃度を有する酸化雰囲気になった洗浄液を散布すると、硫黄化合物を酸化するに必要な酸素が供給されるので、脱硫工程前のバイオガスへの空気供給量は低減できる。
【００５２】
空気供給を停止してもｐＨが５以上に保持されれば硫化水素をアルカリ吸収によって除去していくことができる。
【００５３】
本発明では、循環タンクに、ＤＯメータ、ｐＨ計、ＯＲＰ計等のｐＨ検出手段３０６を設け、酸素濃度を測定したり、ｐＨとＯＲＰとを常時もしくは随時監視し、調整することは好ましい。
【００５４】
また循環タンク３内で曝気すると、洗浄液中の二酸化炭素が大気中に放散されるので、洗浄液のｐＨは上昇し、洗浄液のアルカリ度が上昇し、生物脱硫槽から散布されると硫化水素の酸化を促進する作用が上昇する効果がある。
【００５５】
さらに洗浄液中の二酸化炭素が大気中に放散されると、洗浄液中の二酸化炭素濃度が減少するので、二酸化炭素吸収能力が上昇しているため、バイオガスと接触した際に、バイオガス中の二酸化炭素が減少し、精製バイオガス中のメタン濃度が相対的に上昇する効果がある。
【００５６】
図２は、本発明にかかる生物脱硫システムの別の一例を説明する概略図である。
【００５７】
図２は、洗浄液を酸化雰囲気にするために、気液接触塔を用いる態様を示している。
【００５８】
凝縮水、アンモニアガス、及び消化液は、循環タンク３へ供給され、循環ポンプ３００、洗浄液送液管３０５を経由して気液接触塔７へ送られる。気液接触塔７の内部は、充填材、複数の棚段、ぬれ壁等の気液接触手段を選択することができるが、図２では充填材７００を充填している。
【００５９】
充填材７００としては、例えば磁製又は樹脂製の通常の気液接触用充填材のほか、多孔質軟質樹脂；活性炭、木炭、ゼオライト、セラミックスなどの多孔体粒子などを用いることができる。
【００６０】
気液接触塔７の上部には洗浄液含有液を散布する洗浄液散布部７０１（例えばスプレーノズルなど）が設けられ、洗浄液送液管３０５に接続されている。
【００６１】
気液接触塔７の下部には空気管７０２が設けられ、送風機７０３が接続されている態様である。送風機は比較的低圧のブロアや高圧空気を送れるコンプレッサーなどを含む。
【００６２】
気液接触塔７で二酸化炭素が放散され、酸化雰囲気となった洗浄液は気液接触塔下部から送液ポンプ２０４、洗浄液供給配管２０２、洗浄液散布部２０１を通して生物脱硫槽２へ導入される。
【００６３】
また本発明では、棚段式の気液接触塔を用い、大気に開放した棚段上段から下段に向けて洗浄液を流下させて気液接触させる構成を採用することも好ましいことである。
【００６４】
棚段式の気液接触塔を用いると、洗浄液を空気中に置かれた棚段塔上段に導き、そこから流下する間に、十分な気液接触が行われるため、動力節減という観点から特に好ましい。また棚段を用いることによって空気側を循環させる必要がなく、棚段塔高さ分の液揚程分の動力で済むことになる。
【００６５】
棚段はポリエチレン、ポリプロピレン、硬質塩化ビニル樹脂などの材質を用いることができる。
【００６６】
図２の態様において、気液接触塔７によって気液接触により、酸化雰囲気にされた洗浄液は、洗浄液中に含まれていた二酸化炭素が除かれ、アルカリ度が上がり、飽和濃度に近い約８〜１０ｐｐｍ程度の酸素が溶解している。
【００６７】
この酸素濃度を含有して酸化雰囲気になった洗浄液を生物脱硫槽の上部から散布すると、硫黄化合物を酸化するに必要な酸素が供給されるので、脱硫工程前のバイオガスへの空気供給量を低減できる。
【００６８】
また洗浄液中の二酸化炭素が大気中に放散されるので、洗浄液含有液のｐＨは上昇し、洗浄液含有液のアルカリ度が上昇し、生物脱硫槽から散布されると硫化水素の酸化を促進する作用が上昇する効果がある。
【００６９】
さらに洗浄液中の二酸化炭素が大気中に放散されると、洗浄液中の二酸化炭素濃度が減少するので、二酸化炭素吸収能力が上昇しているため、生物脱硫槽内でバイオガスと接触した際に、バイオガス中の二酸化炭素が減少し、精製バイオガス中のメタン濃度が相対的に上昇する効果がある。
【００７０】
図２に示す態様において、図１と同様に、酸化雰囲気化された洗浄液の適切な管理のためのＤＯメータ、ｐＨ計、ＯＲＰ計等のｐＨ検出手段３０６を設けることも好ましい。前述したように、ｐＨ計はオンライン計として常時監視する必要はない。
【００７１】
また過剰に供給された洗浄液は、オーバーフロー式洗浄液流出管３０７によって排出される。
【００７２】
次に、図３に基づき、本発明の他の態様を説明する。
【００７３】
この態様は、洗浄液の循環経路内に、石灰岩を充填した石灰岩充填塔８を設置することによって構成される。
【００７４】
充填塔８の下方に亜硫酸又は亜硫酸塩を酸化するための空気供給手段を備えている。具体的には、ファン３０１によって空気管を介して空気が充填塔下方に供給可能なように構成されている。
【００７５】
充填塔８の上方から敷き詰められた石灰岩に対して循環液が散布される。循環液中の亜硫酸又は亜硫酸塩は、下方から送られる空気によって酸化され、硫酸または硫酸塩を生成する。
【００７６】
その硫酸または硫酸塩は、石灰岩と反応して、硫酸カルシウム（石膏）を生成する。
【００７７】
硫酸カルシウムを含有する循環液は、充填塔８から排出され、循環タンク３に送られる。循環タンク３には送液管を介して凝縮水、アンモニアガス、消化液も供給される。
【００７８】
循環タンク３で硫酸カルシウムを沈降分離する。上澄み水は循環ポンプ３００により生物脱硫槽２の洗浄液散布部２０１に送液される。
【００７９】
図３に示す態様において、図１と同様に、酸化雰囲気化された洗浄液の適切な管理のためのＤＯメータ、ｐＨ計、ＯＲＰ計等のｐＨ検出手段３０６を設けることも好ましい。前述したように、ｐＨ計はオンライン計として常時監視する必要はない。
【００８０】
また過剰に供給された洗浄液は、オーバーフロー式洗浄液流出管３０７によって排出される。
【実施例】
【００８１】
以下、本発明の実施例に基づき本発明の効果を例証する。
【００８２】
（実施例１）
図１に示す構成の高温（５５℃）メタン発酵を行うバイオガスプラント（搾乳中糞尿処理４ｔ／日）において、洗浄液（ライン運転開始時はバイオガスドレイン（凝縮水）を使用）にスクリーン処理した消化液を循環タンクに供給して、ｐＨ５以上を維持するようにした。処理するバイオガス濃度はメタン５０〜５２％、Ｈ２Ｓ  １５００〜１７００ｐｐｍである。脱硫塔処件は、Ｌ（Ｌ／時）／Ｇ（ｍ３／時）＝１〜１０で検討した（４０℃）。
【００８３】
（比較例１）
洗浄液のｐＨが５を下回る状態である以外は実施例１と同様にして生物脱硫を行った。
【００８４】
実施例１及び比較例１における洗浄液のｐＨ、Ｌ／Ｇ値、酸化還元電位、脱硫率、メタン濃度増加率（二酸化炭素の吸収率）を表１に示す。
【００８５】
【表１】
2011046802.tif 000003
【００８６】
（実施例２）
図２に示す構成の高温（５５℃）メタン発酵を行うバイオガスプラント（処理量４ｔ／日）において、消化液（発酵槽出口のｐＨは８．７）を生物脱硫槽における洗浄液として用い、以下の実験を行った。
【００８７】
生物脱硫槽入口のガス組成が、メタン濃度５０〜５２％、硫化水素１５００〜１７００ｐｐｍであるバイオガスを、Ｌ／Ｇ＝２〜３、約４０℃で生物脱硫槽において脱硫処理をした。
【００８８】
洗浄液のｐＨを５以上に維持しながら生物脱硫を行った。
【００８９】
（比較例２）
洗浄液のｐＨが５を下回る状態である以外は実施例２と同様にして生物脱硫を行った。
【００９０】
実施例２及び比較例２における洗浄液のｐＨと酸化還元電位、脱硫率、メタン濃度増加率（二酸化炭素の吸収率）を表２に示す。
【００９１】
【表２】
2011046802.tif 000004
【符号の説明】
【００９２】
１：メタン発酵槽
１０１：バイオガス導入管
１０２：送液管
２：生物脱硫槽
２００：充填材
２０１：洗浄液散布部
２０２：洗浄液供給配管
２０３：返送管
２０４：送液ポンプ
３：循環タンク
３００：循環ポンプ
３０１：送風機
３０２：散気管
３０３：空気管
３０４：ドレン配管
３０５：消化液送液管
３０６：ｐＨ検出手段
３０７：オーバーフロー式洗浄液流出管
４：冷却手段
５：乾燥手段
６：アンモニア除去手段
７：気液接触塔
８：充填塔
【図１】
2011046802.tif 000005
【図２】
2011046802.tif 000006
【図３】
2011046802.tif 000007